(57)【要約】【課題】脚回りからの漏れを抑制したパンツ型吸収性物品を提供すること。【解決手段】吸収体（１２）を備え縦方向に沿った吸収性本体（１０）と、吸収性本体（１０）の一端側及び他端側にそれぞれ位置し、横方向に伸縮する弾性部材（２２、３２）を備える一対の胴回り部（２０、３０）とを有し、吸収性本体（１０）は、吸収体（１２）の横方向の両外側に延出し、且つ、縦方向に伸縮する弾性部材（６１）が配された一対の延出部（６０）を備え、延出部（６０）は脚回り開口部を形成するとともに一対の胴回り部（２０、３０）の少なくとも一方と縦方向において重複する重複部（６０ｂ）を有し、重複部（６０ｂ）の少なくとも一部は胴回り部と接合されており、延出部（６０）における重複部（６０ｂ）に横方向に所定の長さを有する溶着領域（６２）が配されているパンツ型吸収性物品。【選択図】図６
2018033528.tif 000002
【特許請求の範囲】
【請求項１】
縦方向と横方向とを有し、
吸収体を備え、長手方向が前記縦方向に沿った吸収性本体と、
前記吸収性本体の前記長手方向の一端側及び他端側にそれぞれ位置し、前記横方向に伸縮する弾性部材を備える一対の胴回り部と、を有するパンツ型吸収性物品であって、
前記吸収性本体は、前記吸収体の前記横方向の両外側に延出し、且つ、前記縦方向に伸縮する弾性部材が配された一対の延出部を備え、
前記延出部は、脚回り開口部を形成するとともに、前記一対の胴回り部の少なくとも一方と前記縦方向において重複する重複部を有し、
前記重複部の少なくとも一部において、前記延出部と前記胴回り部とが接合されており、
前記延出部における前記重複部に、前記横方向に所定の長さを有する溶着領域が配されていることを特徴とするパンツ型吸収性物品。
【請求項２】
請求項１に記載のパンツ型吸収性物品であって、
前記胴回り部において、前記横方向に伸縮する複数の前記弾性部材が前記縦方向に間隔を空けて配されており、
前記延出部における前記重複部において、複数の前記溶着領域が前記縦方向に間隔を空けて配されており、
複数の前記溶着領域の前記縦方向の間隔よりも、前記胴回り部に配された複数の前記弾性部材の前記縦方向の間隔の方が狭いことを特徴とするパンツ型吸収性物品。
【請求項３】
請求項１又は請求項２に記載のパンツ型吸収性物品であって、
前記重複部は、前記縦方向において前記胴回り部の下端部に対応する位置に、前記延出部と前記胴回り部とが接合されていない非接合領域を有し、
前記非接合領域に前記溶着領域が配されていることを特徴とするパンツ型吸収性物品。
【請求項４】
請求項１から請求項３の何れか１項に記載のパンツ型吸収性物品であって、
前記延出部の厚さ方向における平面視において、前記溶着領域と前記胴回り部に配された前記弾性部材とが重複していないことを特徴とするパンツ型吸収性物品。
【請求項５】
請求項１から請求項４の何れか１項に記載のパンツ型吸収性物品であって、
前記溶着領域は、第１の溶着領域と、前記延出部の厚さ方向において前記第１の溶着領域よりも非肌側に位置する第２の溶着領域とを有することを特徴とするパンツ型吸収性物品。
【請求項６】
請求項５に記載のパンツ型吸収性物品であって、
前記厚さ方向における平面視において、前記第１の溶着領域と前記第２の溶着領域の少なくとも一部が重複していないことを特徴とするパンツ型吸収性物品。
【請求項７】
請求項１から請求項６の何れか１項に記載のパンツ型吸収性物品であって、
前記胴回り部に配された前記弾性部材は、前記胴回り部の厚さ方向において前記吸収体と重なる部位に不連続である部分を有することを特徴とするパンツ型吸収性物品。
【発明の詳細な説明】
【技術分野】
【０００１】
本発明は、パンツ型吸収性物品に関する。
【背景技術】
【０００２】
吸収性物品の一例として、前身頃と後身頃の両側部が予め接合されたパンツ型の使い捨ておむつが挙げられる。特許文献１には、前身頃と後身頃を構成するアウターシートがウェスト部分にて折り返され、アウターシートとその折返部の間にウェスト伸縮材が配置されるとともに、ウェスト伸縮材と折返部の間にクッション形成シートが配置された使い捨ておむつが開示されている。さらに、このおむつでは、アウターシートの折返部とクッション形成シートが、ウェスト回りに沿う方向に間欠的に接合されている。そのため、クッション形成シートと折返部の非接合部に空間ができ、着用者の肌に与える刺激を低減できている。また、このおむつには、排泄物の横漏れを防止するために、吸収体の両側縁部に沿って起立する一体の立体ギャザーが設けられている。この立体ギャザーは、股下部から前身頃及び後身頃まで延び、ウェスト伸縮材と交差している。
【先行技術文献】
【特許文献】
【０００３】
【特許文献１】特開２０１０−７０７４３号公報
【発明の概要】
【発明が解決しようとする課題】
【０００４】
また、吸収性物品として、上記の立体ギャザーに加え、吸収体の横方向の両外側に延出して脚回り開口部を形成し、且つ、縦方向に伸縮する弾性部材が配された一対の延出部（所謂脚回りギャザー）を有するものが知られている。延出部が着用者の脚回りに密着することで、排泄物の横漏れを一層防止できる。この延出部が上記の立体ギャザーと同様に股下部から前身頃及び後身頃まで延びて、それらに接合されている場合、延出部がウェスト伸縮材の影響を受け易く、横方向に収縮したり、めくれたりするおそれがある。そうすると、延出部が着用者の脚回りにしっかりと密着できず、横漏れ防止の効果が低減してしまう。
本発明は、上記のような問題に鑑みてなされたものであって、脚回りからの漏れが抑制されたパンツ型吸収性物品を提供することを目的とする。
【課題を解決するための手段】
【０００５】
上記目的を達成するための主たる発明は、縦方向と横方向とを有し、吸収体を備え、長手方向が前記縦方向に沿った吸収性本体と、前記吸収性本体の前記長手方向の一端側及び他端側にそれぞれ位置し、前記横方向に伸縮する弾性部材を備える一対の胴回り部と、を有するパンツ型吸収性物品であって、前記吸収性本体は、前記吸収体の前記横方向の両外側に延出し、且つ、前記縦方向に伸縮する弾性部材が配された一対の延出部を備え、前記延出部は、脚回り開口部を形成するとともに、前記一対の胴回り部の少なくとも一方と前記縦方向において重複する重複部を有し、前記重複部の少なくとも一部において、前記延出部と前記胴回り部とが接合されており、前記延出部における前記重複部に、前記横方向に所定の長さを有する溶着領域が配されていることを特徴とするパンツ型吸収性物品である。
本発明の他の特徴については、本明細書及び添付図面の記載により明らかにする。
【発明の効果】
【０００６】
本発明によれば、脚回りからの漏れが抑制されたパンツ型吸収性物品を提供することができる。
【図面の簡単な説明】
【０００７】
【図１】パンツ型使い捨ておむつ１の概略斜視図である。
【図２】展開且つ伸長状態のおむつ１を肌側面側から見た概略平面図である。
【図３】おむつ１の概略断面図である。
【図４】図４Ａ及び図４Ｂは吸収性本体１０の形成方法を説明する図である。
【図５】吸収性本体１０と一対の胴回り部２０，３０の接着領域４０の説明図である。
【図６】脚回り延出部６０の特徴を説明する図である。
【図７】横溶着領域６２及び縦溶着領域６６の拡大図である。
【図８】脚回り延出部６０が着用者に密着する状態を示す図である。
【図９】図９Ａから図９Ｃは横溶着領域６２の変形例を説明する図である。
【発明を実施するための形態】
【０００８】
本明細書及び添付図面の記載により、少なくとも以下の事項が明らかとなる。
【０００９】
縦方向と横方向とを有し、吸収体を備え、長手方向が前記縦方向に沿った吸収性本体と、前記吸収性本体の前記長手方向の一端側及び他端側にそれぞれ位置し、前記横方向に伸縮する弾性部材を備える一対の胴回り部と、を有するパンツ型吸収性物品であって、前記吸収性本体は、前記吸収体の前記横方向の両外側に延出し、且つ、前記縦方向に伸縮する弾性部材が配された一対の延出部を備え、前記延出部は、脚回り開口部を形成するとともに、前記一対の胴回り部の少なくとも一方と前記縦方向において重複する重複部を有し、前記重複部の少なくとも一部において、前記延出部と前記胴回り部とが接合されており、前記延出部における前記重複部に、前記横方向に所定の長さを有する溶着領域が配されていることを特徴とするパンツ型吸収性物品である。
【００１０】
このようなパンツ型吸収性物品によれば、溶着領域により重複部の横方向への剛性が高まるので、重複部の横方向への収縮が抑えられる。そのため、延出部が横方向に幅を持った状態が維持され易く、延出部が着用者の脚回りに面で密着でき、脚回りからの漏れが抑制される。
【００１１】
かかるパンツ型吸収性物品であって、前記胴回り部において、前記横方向に伸縮する複数の前記弾性部材が前記縦方向に間隔を空けて配されており、前記延出部における前記重複部において、複数の前記溶着領域が前記縦方向に間隔を空けて配されており、複数の前記溶着領域の前記縦方向の間隔よりも、前記胴回り部に配された複数の前記弾性部材の前記縦方向の間隔の方が狭いことを特徴とするパンツ型吸収性物品である。
【００１２】
このようなパンツ型吸収性物品によれば、溶着領域によって重複部の横方向への収縮を抑えて脚回りからの漏れを抑制しつつ、胴回り部の着用者へのフィット性を確保できる。
【００１３】
かかるパンツ型吸収性物品であって、前記重複部は、前記縦方向において前記胴回り部の下端部に対応する位置に、前記延出部と前記胴回り部とが接合されていない非接合領域を有し、前記非接合領域に前記溶着領域が配されていることを特徴とするパンツ型吸収性物品である。
【００１４】
このようなパンツ型吸収性物品によれば、重複部とそれ以外の延出部の部位との境界部である非接合領域が横方向へ収縮し難い。そのため、重複部以外の延出部の部位、つまり脚回り開口部を形成する部位が横方向に幅を持った状態が維持され易く、着用者の脚回りに面で密着できるため、脚回りからの漏れがより確実に抑制される。
【００１５】
かかるパンツ型吸収性物品であって、前記延出部の厚さ方向における平面視において、前記溶着領域と前記胴回り部に配された前記弾性部材とが重複していないことを特徴とするパンツ型吸収性物品である。
【００１６】
このようなパンツ型吸収性物品によれば、胴回り部に配された弾性部材のうち重複部と重なる部位の収縮が溶着領域によって過度に抑えられてしまうことを防止でき、胴回り部の着用者へのフィット性を確保できる。
【００１７】
かかるパンツ型吸収性物品であって、前記溶着領域は、第１の溶着領域と、前記延出部の厚さ方向において前記第１の溶着領域よりも非肌側に位置する第２の溶着領域とを有することを特徴とするパンツ型吸収性物品である。
【００１８】
このようなパンツ型吸収性物品によれば、重複部の横方向への剛性が更に高まり、重複部の横方向への収縮がより抑えられる。そのため、延出部が横方向に幅を持った状態が維持され易く、脚回りからの漏れがより確実に抑制される。
【００１９】
かかるパンツ型吸収性物品であって、前記厚さ方向における平面視において、前記第１の溶着領域と前記第２の溶着領域の少なくとも一部が重複していないことを特徴とするパンツ型吸収性物品である。
【００２０】
このようなパンツ型吸収性物品によれば、重複部のより広い平面範囲に溶着領域が存在することになり、重複部のより広い平面範囲の剛性が高められ、重複部の横方向への収縮が抑えられる。そのため、延出部が横方向に幅を持った状態が維持され易く、脚回りからの漏れがより確実に抑制される。
【００２１】
かかるパンツ型吸収性物品であって、前記胴回り部に配された前記弾性部材は、前記胴回り部の厚さ方向において前記吸収体と重なる部位に不連続である部分を有することを特徴とするパンツ型吸収性物品である。
【００２２】
このようなパンツ型吸収性物品によれば、胴回り部に配された弾性部材の収縮の影響を吸収体が受け難く、吸収体のよれが抑制される。そのため、吸収体が着用者に密着でき、排泄物をしっかりと吸収するため、脚回りからの漏れが抑制される。
【００２３】
＝＝＝実施形態＝＝＝
本発明に係るパンツ型吸収性物品として「パンツ型使い捨ておむつ」を例に挙げて以下の実施形態を説明する。本実施形態のパンツ型使い捨ておむつは乳幼児用としても大人用としても利用可能である。また、本発明に係るパンツ型吸収性物品は使い捨ておむつ以外にも、例えば生理用のショーツ型ナプキンとしても利用可能である。
【００２４】
＝＝＝パンツ型使い捨ておむつの基本構成＝＝＝
図１はパンツ型使い捨ておむつ１（以下「おむつ」という）の概略斜視図である。図２は展開且つ伸長状態のおむつ１を肌側面側から見た概略平面図である。図３はおむつ１の概略断面図である。図４Ａ及び図４Ｂは吸収性本体１０の形成方法を説明する図である。図５は吸収性本体１０と一対の胴回り部２０，３０の接着領域４０の説明図である。なお、図１以外の図は、おむつ１の皺が視認できなくなる程度まで、おむつ１が備える弾性部材を伸長させ状態を示す。具体的には、おむつ１を構成する各部材（例えば後述する外装シート１４等）の寸法がその部材単体の寸法と一致又はそれに近い寸法になるまで伸長させた状態を示す。
【００２５】
図１に示すように、パンツ型であるおむつ１は縦方向と横方向と前後方向とを有し、おむつ１には胴回り開口部ＢＨ及び一対の脚回り開口部ＬＨが形成されている。縦方向において、胴回り開口部ＢＨ側を上側とし、着用者の股下となる側を下側とする。前後方向において、着用者の腹側となる側を前側とし、着用者の背側となる側を後側とする。また、おむつ１は図３に示すように厚さ方向を有し、厚さ方向において着用者に接触する側を肌側とし、その逆側を非肌側とする。
【００２６】
おむつ１は、所謂３ピースタイプであり、吸収性本体１０と一対の胴回り部２０，３０とを有する。吸収性本体１０は平面視略長方形状であり、その長手方向が縦方向に沿っている。胴回り部２０，３０は平面視略長方形状であり、その長手方向が横方向に沿っている。一対の胴回り部２０，３０のうち着用者の腹側部を覆うものを前胴回り部２０ともいい、着用者の背側部を覆うものを後胴回り部３０ともいう。
【００２７】
図２の展開状態にて示されるように、吸収性本体１０の長手方向の一端側に、前胴回り部２０の横方向の中央部が位置し、吸収性本体１０の長手方向の他端側に、後胴回り部３０の横方向の中央部が位置している。そして、吸収性本体１０の非肌側面と一対の胴回り部２０，３０の肌側面とが接着剤等により図５に示す接着領域４０にて接合されている。図２の展開状態から、前胴回り部２０と後胴回り部３０とが重なるように吸収性本体１０がその長手方向の略中央部で二つ折りされ、前胴回り部２０の横方向の両側部２０ａと後胴回り部３０の横方向の両側部３０ａとが接合されることにより、おむつ１はパンツ型となる。
【００２８】
前胴回り部２０及び後胴回り部３０はそれぞれ、不織布等の柔軟な２枚のシート（２１と２１、３１と３１）と、横方向に伸縮する糸ゴム等の複数の弾性部材２２，３２とを備える。以下の説明では弾性部材２２，３２を胴回り弾性部材２２，３２ともいう。複数の胴回り弾性部材２２，３２は、縦方向に間隔を空けて並んで配されるとともに、横方向に伸長した状態で２枚のシート（２１と２１、３１と３１）の間に固定されている。したがって、前胴回り部２０及び後胴回り部３０は横方向に伸縮可能であり、着用者の胴回りにフィットする。
【００２９】
吸収性本体１０は、図３に示すように厚さ方向の肌側から順に、トップシート１１と、吸収体１２と、バックシート１３と、外装シート１４とを備える。トップシート１１は液透過性シートであればよく、親水性のエアスルー不織布やスパンボンド不織布等を例示できる。バックシート１３は液不透過性シートであればよく、ポリエチレンフィルムやポリプロピレンフィルム等を例示できる。トップシート１１及びバックシート１３は吸収体１２全体を覆う大きさとする。また、本実施形態ではトップシート１１の横方向の両側部が吸収体１２の非肌側面側に折り込まれている。外装シート１４は液透過性シートでも液不透過性シートでもよい。ただし本実施形態では外装シート１４によって防漏壁部５０が形成されるため、外装シート１４として疎水性のＳＭＳ不織布等を例示できる。
【００３０】
吸収体１２は、平面視長方形状であり、液体を吸収する吸収性コア１２１と、吸収性コア１２１の外周面を被覆するコアラップシート１２２とを備える。吸収性コア１２１は、液体吸収性素材が所定の形状に成形されたものであり、本実施形態では長手方向の中央部がくびれた略砂時計形状を成している。液体吸収性素材としては、パルプ繊維等の液体吸収性繊維に高吸収性ポリマー（所謂ＳＡＰ）等が含有されたものを例示できる。コアラップシート１２２としては、ティッシュペーパーや不織布等の液透過性シートを例示できる。なお、コアラップシート１２２はなくてもよい。
【００３１】
また、吸収性本体１０は、一対の防漏壁部５０と、一対の脚回り延出部６０（一対の延出部）とを備える。詳細は後述するが、本実施形態では図３や図４に示すように一枚の外装シート１４の横方向の両側部が折り重ねられることによって、一対の防漏壁部５０及び一対の脚回り延出部６０が一体に形成されている。
【００３２】
一対の防漏壁部５０は、吸収性本体１０の長手方向に沿って、吸収体１２の横方向の両側部に設けられている。詳しくは横方向において吸収体１２と重なる位置から延出する位置に亘って設けられている。各防漏壁部５０は長手方向（おむつ１の縦方向）に伸縮する弾性部材５１を備えるとともに、防漏壁部５０を形成する外装シート１４をトップシート１１やバックシート１３に接合する一対のエンド接合部５２及びサイド接合部５３を備える。一対のエンド接合部５２は吸収性本体１０の長手方向の両端部に配置され、サイド接合部５３は、吸収性本体１０の長手方向の一端から他端まで延び、且つ、エンド接合部５２よりも横方向の外側に配置されている。そのため、防漏壁部５０では、弾性部材５１の収縮によって、一対のエンド接合部５２間の外装シート１４の部位が、サイド接合部５３を基点に着用者側（厚さ方向の肌側）に起立可能となる。したがって、横流れした排泄物が防漏壁部５０によって堰き止められる。ただし、おむつ１が防漏壁部５０を有していなくてもよい。
【００３３】
一対の脚回り延出部６０は、吸収体１２の横方向の両外側に延出した部位である。詳しくは吸収体１２の横方向の外側端から吸収性本体１０の横方向の外側端までの部位を脚回り延出部６０とする。また、図５に示すように、各脚回り延出部６０は、脚回り開口部ＬＨを形成する「脚回り開口形成部６０ａ」と、前胴回り部２０及び後胴回り部３０のそれぞれと縦方向において重複する一対の「重複部６０ｂ」、換言すると、前胴回り部２０及び後胴回り部３０のそれぞれと厚さ方向に重なる一対の「重複部６０ｂ」とを有する。また、各脚回り延出部６０は、長手方向（おむつ１の縦方向）に伸縮し、且つ、横方向に間隔を空けて配された４本の弾性部材６１（以下、脚回り弾性部材６１ともいう）を備える。したがって、脚回り延出部６０における脚回り開口形成部６０ａは着用者の脚回りにフィットする。
【００３４】
また、各脚回り延出部６０には、横方向に延び、且つ、横方向に対して傾斜している「横溶着領域６２（本発明における溶着領域）」が複数配されている。複数の横溶着領域６２は、図３に示すように、厚さ方向の肌側に位置する複数の第１の横溶着領域６３と、厚さ方向の非肌側に位置する複数の第２の横溶着領域６４とを有する。複数の第１の横溶着領域６３及び複数の第２の横溶着領域６４は共に図５に示すように、脚回り延出部６０の長手方向の全域に亘って、長手方向に間隔を空けて並んで配されている。
【００３５】
また、各脚回り延出部６０には、横溶着領域６２よりも横方向の内側に、縦方向（長手方向）に沿って延びた「縦溶着領域６６」が配されている。縦溶着領域６６も、脚回り延出部６６の長手方向の全域に亘って配され、厚さ方向の肌側に位置する第１の縦溶着領域６７と、厚さ方向の非肌側に位置する第２の縦溶着領域６８とを有する。
【００３６】
なお、前胴回り部２０、後胴回り部３０、防漏壁部５０、及び脚回り延出部６０が備える弾性部材（２２、３２、５１、６１）として糸ゴム等の糸状の弾性部材を例示しているがこれに限らない。糸ゴムの代わりに、例えば伸縮性フィルムや伸縮性不織布等のシート状の弾性部材を単数又は複数配してもよい。また、図面には弾性部材のうち伸縮性を発現する部位（所謂有効長の部位）のみを示す。そのため図示する弾性部材の長手方向の外側に伸縮性を発現しない弾性部材の部位が存在していてもよい。また、弾性部材の配置や本数も図示する構成に限らない。
【００３７】
＝＝＝吸収性本体１０の形成方法＝＝＝
次に、一枚の外装シート１４によって一対の防漏壁部５０及び一対の脚回り延出部６０が形成される方法について図４を参照しながら簡単に説明する。
まず、図４Ａ及び図４Ｂの左側に示すように、外装シート１４の横方向の両側部に防漏壁部５０用の弾性部材５１が長手方向に伸長した状態で固定される。その後、防漏壁部５０用の弾性部材５１が固定された横方向の位置を折り位置ｆ１として、外装シート１４の横方向の両側部が厚さ方向の肌側（横方向の内側）に折り返される。
【００３８】
次に、図４Ａ及び図４Ｂの右側に示すように、折り返されて２層になっている外装シート１４の部位が部分的に溶着されることによって、横溶着領域６２及び縦溶着領域６６が形成される。具体的には、２層になっている外装シート１４の部位のうち、横方向の外側の部位に複数の第１の横溶着領域６３が長手方向に間隔を空けて並んで形成され、横方向の内側の部位に複数の第２の横溶着領域６４が長手方向に間隔を空けて並んで形成される。また、第１の横溶着領域６３よりも横方向の外側に第１の縦溶着領域６７が形成され、第２の横溶着領域６４よりも横方向の内側に第２の縦溶着領域６８が形成される。なお、溶着領域６２，６６の形成は周知の溶着方法で行えばよく、例えば熱溶着、超音波溶着、レーザー照射による溶着等を挙げられる。
【００３９】
次に、２層になっている外装シート１４の部位の肌側面であって横溶着領域６２よりも横方向の外側の部位に、防漏壁部５０のエンド接合部５２及びサイド接合部５３を形成するための接着剤が塗布される。そして、外装シート１４の肌側面であってサイド接合部５３よりも横方向の内側の部位に、４本の脚回り弾性部材６１が長手方向に伸長した状態で固定される。その後、外装シート１４の横方向の中央部に、バックシート１３と、トップシート１１が巻かれた吸収体１２とが重ねられ接合される。
【００４０】
最後に、第１の横溶着領域６３と第２の横溶着領域６４の間の折り位置ｆ２にて、外装シート１４の横方向の両側部がトップシート１１よりも厚さ方向の肌側に折り返され、図３に示す吸収性本体１０が形成される。つまり、外装シート１４の横方向の両側部はそれぞれ４層に折り重ねられる。また、第１の横溶着領域６３と第２の横溶着領域６４とが厚さ方向に重ねられ、第１の縦溶着領域６７と第２の縦溶着領域６８とが厚さ方向に重ねられることになる。以下の説明では、その４層の外装シート１４の部位を厚さ方向の肌側から順に、第１シート部１４ａ、第２シート部１４ｂ、第３シート部１４ｃ、第４シート部１４ｄともいう。防漏壁部５０は第１シート部１４ａ及び第２シート部１４ｂにより形成され、脚回り延出部６０は第１シート部１４ａから第４シート部１４ｄにより形成されることになる。
【００４１】
＝＝＝脚回り延出部６０＝＝＝
図６は脚回り延出部６０の特徴を説明する図である。図７は横溶着領域６２及び縦溶着領域６６の拡大図である。図８は脚回り延出部６０が着用者に密着する状態を示す図である。なお、図８では図の煩雑さを解消するために防漏壁部５０等を省略している。
【００４２】
本実施形態のおむつ１では、脚回り延出部６０の横幅が比較的に広く設定されている。例えば乳幼児用のＳサイズのおむつ１において、吸収性本体１０の横幅を２００ｍｍとした場合に、脚回り延出部６０の横幅が４０ｍｍ程度に設定される。そのため、脚回り延出部６０を着用者の脚回りに幅広の面で密着させることができる。よって、脚回りから排泄物が漏れ難くなる。また、脚回り延出部６０の横幅が広いことで、複数本（ここでは４本）の脚回り弾性部材６１を横方向に間隔を空けて並んで配することができる。そのため、横漏れしないために必要な脚回り延出部６０の伸縮力を複数本の脚回り弾性部材６１で分担できる。つまり、１本当たりの脚回り弾性部材６１の伸縮力を小さくできるので、脚回り弾性部材６１の局所的な密着による肌への負担を防止できる。
【００４３】
一方、本実施形態の脚回り延出部６０は、吸収性本体１０の外装シート１４によって形成され、胴回り部２０，３０との重複部６０ｂを有する。そして、図５に示すように重複部６０ｂの一部は接着領域４０によって胴回り部２０，３０に接合されている。そのため、重複部６０ｂは胴回り部２０，３０の横方向への収縮の影響を受け易い。特に本実施形態のおむつ１のように脚回り延出部６０を幅広にする場合、重複部６０ｂが大きくなるため、胴回り部２０，３０の影響を受け易い。そうすると、脚回り延出部６０における脚回り開口形成部６０ａが横方向に収縮したり、内側や外側にめくれたりするおそれがある。例えばおむつ１の製造過程で脚回り開口形成部６０ａがめくれて折れた状態で個別包装されると、脚回り開口形成部６０ａに折れ跡が付いてしまい、脚回り開口形成部６０ａが折れている状態で着用されてしまう。このように、脚回り延出部６０を幅広に設定したにもかかわらず、脚回り延出部６０を着用者の脚回りに面で密着させることができないおそれがある。
【００４４】
そこで、本実施形態のおむつ１では、脚回り延出部６０における胴回り部２０，３０との重複部６０ｂに、横方向に所定の長さ（図６のＬ１）を有する横溶着領域６２が複数配されている。
【００４５】
そのため、重複部６０ｂの横方向に対する剛性が横溶着領域６２によって高まる。つまり、胴回り部２０，３０の横方向への収縮に対して横溶着領域６２が抗し、重複部６０ｂは横方向へ収縮し難くなる。その結果、脚回り開口形成部６０ａの横方向への収縮やめくれも抑えられ、脚回り開口形成部６０ａが横方向に幅を持った状態（幅広の状態）が維持され易い。
【００４６】
そうすると、脚回り開口形成部６０ａが着用者の脚回りに幅広の面で密着でき、脚回りからの排泄物の漏れが抑制される。また、自然状態のおむつ（図１）において、脚回り開口形成部６０ａが横方向に略水平に延出するので、着用者がおむつ１の脚回り開口部ＬＨに脚を通すだけで、脚回り開口形成部６０ａが着用者の脚回りに面で密着する。そのため、例えば内側にめくれた脚回り開口形成部６０ａを指で出す等の動作が不必要となり、おむつ１が容易に適切に装着される。また、幅広の脚回り延出部６０が着用者に密着することで、着用者の臀部を被覆できる。そのため、例えば臀部を被覆するカバー等を胴回り部２０，３０とは別に設ける必要がなくなり、おむつ１の構成を容易にできる。
【００４７】
また、おむつ１では、重複部６０ｂに横溶着領域６２を配することで重複部６０ｂの剛性を高めている。そのため、例えば重複部６０ｂに別部材を配することで重複部６０ｂの剛性を高める場合に比べて、おむつ１の製造を容易にできる。
【００４８】
なお、本実施形態の横溶着領域６２は、図７に示すように、ドット形状の溶着部６９（例えばエンボスローラーの外周面に設けられた突起パターンの中の１つの突起で形成された溶着部）が、横方向に並ぶことによって形成されている。具体的には、横方向に対して傾斜して３個の溶着部６９が並んだドットの列が２つ、横方向にずれ且つ縦方向に並んでいる。同様に、縦溶着領域６６も、ドット形状の溶着部６９が縦方向に多数並んだドットの列が２つ、縦方向にずれ且つ横方向に並ぶことによって形成されている。このように溶着領域６２，６６が部分的に溶着されていてもよく、この場合にも重複部６０ｂの横方向に対する剛性が高められる。なお、これに限らず、例えばエンボスローラーの外周面に設けられた１つの突起の平面形状を溶着領域６２，６６と同じ形状にして、溶着領域６２，６６の全域が溶着されるようにしてもよい。但し、本実施形態のように１つの溶着部６９の形状を小さくすることで溶着時にかかる圧力が一定となり易く、溶着が安定する。
【００４９】
また、横溶着領域６２が有する横方向の所定の長さとは０ｍｍよりも大きければよいが、ある程度の長さを有することが好ましい。例えば脚回り延出部６０の横幅が４０ｍｍである場合、横溶着領域６２の横方向の長さが、好ましくは７．５ｍｍから２７．５ｍｍの範囲であるとよく、より好ましくは１７．５ｍｍ程度であるとよい。
【００５０】
また、横溶着領域６２が有する横方向の所定の長さ（例えば図６のＬ１）とは、横溶着領域６２の横方向の一端から他端までの横方向の長さである。そのため、横溶着領域６２の形状は、横方向に平行に延びた形状（不図示）であってもよいし、本実施形態のように横方向に対して傾斜した形状であってもよい。但し、例えばエンボスローラーの軸方向に横溶着領域６２の横方向が対応する場合、横溶着領域６２が横方向に平行であると、瞬間的に横溶着領域６２が形成されることになる。これに対して、横溶着領域６２が横方向に対して傾斜していると、エンボスローラーの回転に伴って順次圧力がかけられながら横溶着領域６２が形成されるため、溶着が安定する。
【００５１】
また、横溶着領域６２の形状は、本実施形態のようにドット状の溶着部６９が横方向に並んだライン形状に限らず、例えば横方向に長い長方形、台形、楕円、俵形等であってもよい。また、ドット状の溶着部６９に限らず、正方形や三角形等のその他の形状の溶着部６９を横方向に並んで配することにより横溶着領域６２を形成してもよい。また、重複部６０ｂにおいて横方向に複数の横溶着領域６２が並んで配されていてもよい。また、重複部６０ｂの横溶着領域６２の数は１つ以上であればよい。
【００５２】
また、本実施形態のおむつ１では、脚回り延出部６０が前胴回り部２０と後胴回り部３０の両方に重複し、２つの重複部６０ｂを備えているが、脚回り延出部６０が前胴回り部２０と後胴回り部３０の少なくとも一方と重複していればよい。また、本実施形態のおむつ１では、前胴回り部２０との重複部６０ｂにも、後胴回り部３０との重複部６０ｂにも横溶着領域６２が配されているが、どちらか一方の重複部６０ｂにだけ横溶着領域６２が配される形態でもよい。ただし両方の重複部６０ｂに横溶着領域６２が配される方が、脚回り開口形成部６０ａの幅広の状態がより維持され易い。
【００５３】
また、本実施形態のおむつ１では、脚回り延出部６０における脚回り開口形成部６０ａにも、複数の横溶着領域６２が配されている。そのため、脚回り開口形成部６０ａ自身の横方向に対する剛性も高く、脚回り開口形成部６０ａは胴回り部２０，３０の横方向への収縮の影響を受け難い。したがって、脚回り開口形成部６０ａの幅広の状態がより一層維持され易く、脚回り開口形成部６０ａが着用者の脚回りに面で密着するため、脚回りからの漏れがより確実に抑制される。
【００５４】
また、図５に示すように、脚回り延出部６０ａの長手方向の全域に亘り、複数の横溶着領域６２が長手方向に一定の間隔で配されるようにすることで、横溶着領域６２の形成間隔の調整が容易となる。よって、おむつ１の製造が容易となる。
【００５５】
ただし、脚回り開口形成部６０ａに横溶着領域６２が配されていなくてもよい。その場合にも、重複部６０ｂの横溶着領域６２によって脚回り開口形成部６０ａの幅広の状態が維持される。また、その場合、比較的に硬い横溶着領域６２の数が減るため、肌への負担を軽減でき、おむつ１の着け心地が向上する。
【００５６】
また、図６に示すように、胴回り部２０，３０において複数の胴回り弾性部材２２，３２が縦方向に間隔を空けて配されており、重複部６０ｂにおいて複数の横溶着領域６２が縦方向に間隔を空けて配されている。そして、重複部６０ｂに配される複数の横溶着領域６２の縦方向の間隔Ｌ２よりも、複数の胴回り弾性部材２２，３２の縦方向の間隔Ｌ３の方が狭くなっている（Ｌ２＞Ｌ３）。
【００５７】
そのため、胴回り弾性部材２２，３２の数が少な過ぎることがなく、胴回り部２０，３０の着用者へのフィット性を確保できる。つまり、横溶着領域６２によって重複部６０ｂの横方向への収縮を抑えて脚回りからの漏れを抑えつつ、胴回り部２０，３０の着用者へのフィット性を確保できる。また、重複部６０ｂに配された横溶着領域６２の数が多過ぎることがなく、比較的に硬い横溶着領域６２によって肌への負担が増加してしまうことを防止できる。また、横溶着領域６２の間隔が狭くなり過ぎることによって横溶着領域６２が重複部６２の破れの起点となってしまうことを防止できる。
【００５８】
ただし、上記に限らず、重複部６０ｂに配された横溶着領域６２の縦方向の間隔Ｌ２を胴回り弾性部材２２，３２の縦方向の間隔Ｌ３以下にしてもよい。その場合、横溶着領域６２の数が増えるため、重複部６０ｂの横方向への収縮がより確実に抑えられる。また、上記の比較は、縦方向の位置が重複部６０ｂと同じである胴回り弾性部材２２，３２の間隔と比較してもよいし、重複部６０ｂよりも上方の胴回り弾性部材２２，３２の間隔と比較してもよい。また、横溶着領域６２の間隔や胴回り弾性部材２２，３２の間隔が一定でない場合、胴回り弾性部材２２，３２の間隔の少なくとも１つが、横溶着領域６２の間隔の少なくとも１つよりも狭ければよい。
【００５９】
また、脚回り延出部６０の厚さ方向における平面視（図６）において、重複部６０ｂに配された横溶着領域６２と胴回り弾性部材２２，３２とが重複していないことが好ましい。つまり、横溶着領域６２と胴回り弾性部材２２，３２とが縦方向にずれていることが好ましい。そうすることで、重複部６０ｂと重なる胴回り弾性部材２２，３２の部位の収縮が横溶着領域６２によって過度に抑えられてしまうことを防止でき、その胴回り弾性部材２２，３２の部位が適度に収縮する。したがって、胴回り弾性部材２２，３２を有効に利用でき、胴回り部２０，３０の着用者へのフィット性を確保できる。ただしこれに限らず、複数の横溶着領域６２の一部又は全部の縦方向の位置が、胴回り弾性部材２２，３２の縦方向の位置と一致していてもよい。
【００６０】
また、図６に示すように、吸収体１２よりも縦方向の上方に位置する胴回り弾性部材２２ａ，３２ａは、胴回り部２０，３０の横方向の一方側の側部から他方側の側部まで連続して延びている。一方、縦方向の位置が吸収体１２と同じである胴回り弾性部材２２ｂ，３２ｂは、胴回り部２０，３０の横方向の一方側の側部から吸収体１２の横方向の一方側の側部までの部位と、吸収体１２の横方向の他方側の側部から胴回り部２０，３０の横方向の他方側の側部までの部位とを有する。つまり、胴回り弾性部材２２ｂ，３２ｂは、胴回り部２０，３０の厚さ方向において吸収体１２と重なる部位に不連続である部分（例えば図６の点ａ〜点ｂ）を有する。
【００６１】
そのため、吸収体１２は胴回り弾性部材２２，３２の横方向への収縮の影響を受け難く、吸収体１２のよれを抑制できる。よって、吸収体１２を着用者に密着させることができ、排泄物は吸収体１２にしっかりと吸収されるため、脚回りからの漏れが抑制される。また、吸収体１２のよれを抑制することで、脚回り開口形成部６０ａを横方向に略水平に延出させることができる。よって、脚回り開口形成部６０ａを着用者の脚回りに面で密着させることができ、脚回りからの漏れが抑制される。
【００６２】
また、図３に示すように、重複部６０ｂに配された横溶着領域６２、及び、脚回り開口形成部６０ａに配された横溶着領域６２は共に、第１の横溶着領域６３と、延出部６０の厚さ方向において第１の横溶着領域６３よりも非肌側に位置する第２の横溶着領域６４とを有する。そのため、重複部６０ｂ及び脚回り開口形成部６０ａの横方向に対する剛性がより一層高まる。また、第１の横溶着領域６３と第２の横溶着領域６４を重ねるために、外装シート１４は４層に折り重ねられることになる。このように外装シート１４の積層数が増えることによっても、重複部６０ｂ及び脚回り開口形成部６０ａの横方向に対する剛性が高まる。したがって、重複部６０ｂは胴回り部２０，３０の収縮の影響をより一層受け難くなり、脚回り開口形成部６０ａはより一層幅広の状態が維持され易くなる。そのため、脚回り開口形成部６０ａは着用者の脚回りに面で密着でき、脚回りからの漏れがより確実に抑制される。
【００６３】
換言すると、第１の横溶着領域６３及び第２の横溶着領域６４を重ねることで、１つ当たりの横溶着領域６２の溶着強度を弱めて剛性を低くしても、重複部６０ｂの剛性、及び脚回り開口形成部６０ａの剛性を確保できる。したがって、横溶着領域６２を比較的に柔らかくでき、おむつ１の着け心地が向上する。また、横溶着領域６２の剛性を高めるために溶着強度を高めようとした結果、横溶着領域６２の厚さが薄くなり過ぎたり、孔が空いたりしてしまうことを防止できる。
【００６４】
ただし、上記に限らず、重複部６０ｂ及び脚回り開口形成部６０ａにおいて、複数の横溶着領域６２が厚さ方向に重ねられていなくてもよい。その場合、外装シート１４は２層に折り重ねられ、その２層が溶着されて横溶着領域６２が形成されていればよい。また、３つ以上の横溶着領域６２が厚さ方向に重ねられていてもよい。
【００６５】
また、重複部６０ｂは、縦方向において胴回り部２０，３０の下端部に対応する位置に、重複部６０ｂと胴回り部２０，３０とが接合されていない非接合領域４１（図５の太線で囲われた領域４１）を有する。そして、その非接合領域４１に横溶着領域６２ａが配されている。
【００６６】
重複部６０ｂのうち、胴回り部２０，３０との接合領域４０（図５の斜線が施された領域）に比べて、非接合領域４１の方が、胴回り部２０，３０の横方向への収縮の影響を受け難い。そのため、重複部６０ｂと脚回り開口形成部６０ａとの境界部に非接合領域４１を設けることで、その境界部の幅広の状態が維持され易くなる。さらに、境界部（非接合領域４１）に横溶着領域６２ａが配されることで、境界部の幅広の状態がより一層維持され易くなる。その結果、脚回り開口形成部６０ａも幅広の状態が維持され易くなる。換言すると、胴回り部２０，３０の横方向への収縮力が、非接合領域４１の横溶着領域６２によって堰き止められ、脚回り開口形成部６０ａに伝達され難くなる。その結果、脚回り開口形成部６０ａの幅広の状態が維持され易くなる。よって、脚回り開口形成部６０ａは着用者の脚回りに面で密着でき、脚回りからの漏れが抑制される。
【００６７】
また、おむつ１には、上記の接合領域４０の他、図３に示す接合領域４２，４３，４４が設けられ、接着剤が塗布されている。具体的には、防漏壁部５０を形成する外装シート１４の第１シート部１４ａと第２シート部１４ｂとが接合領域４２で接合されている。また、トップシート１１が巻かれた吸収体１２の非肌側面とバックシート１３とが接合領域４３で接合されている。また、バックシート１３と外装シート１４とが接合領域４４で接合されている。
【００６８】
一方、図３に示す脚回り延出部６０の横方向外側の部位６０ｃ（詳しくは防漏壁部５０のサイド接合部５３よりも横方向の外側の部位６０ｃ）では、外装シート１４の第１シート部１４ａと第２シート部１４ｂとの間が、長手方向の全域に亘り、接着剤で接合されていない。同様に、外装シート１４の第３シート部１４ｃと第４シート部１４ｄとの間も、長手方向の全域に亘り、接着剤で接合されていない。つまり、外装シート１４の第１シート部１４ａ及び第２シート部１４ｂでは、長手方向に並ぶ第１の横溶着領域６３の間の部位（例えば図５の６５の部位）が接合されておらず、空間が生じているため、クッション性が高い。同様に、外装シート１４の第３シート部１４ｃ及び第４シート部１４ｄでは、長手方向に並ぶ第２の横溶着領域６４の間の部位が接合されておらず、空間が生じているため、クッション性が高い。このように脚回り延出部６０のクッション性を高めることで、おむつ１の着け心地が向上する。
【００６９】
また、本実施形態のおむつ１では、第１の横溶着領域６３及び第２の横溶着領域６４を厚さ方向に重ねるため、クッション性の高い第１シート部１４ａ及び第２シート部１４ｂと第３シート部１４ｃ及び第４シート部１４ｄとが更に重ねられることになる。そのため、脚回り延出部６０のクッション性がより高められる。
【００７０】
また、本実施形態の脚回り延出部６０には、第１の縦溶着領域６７及び第２の縦溶着領域６８が設けられている。そのため、第１シート部１４ａ及び第２シート部１４ｂにおいて第１の横溶着領域６３の間が非接合であっても、第１の縦溶着領域６７によって第１シート部１４ａ及び第２シート部１４ｂがしっかりと接合される。同様に、第２の縦溶着領域６８によって第３シート部１４ｃ及び第４シート部１４ｄもしっかりと接合される。そのため、例えば着用者の脚の挟み込みが作用した際にも、第１シート部１４ａと第２シート部１４ｂが分離し難く、第３シート部１４ｃ及び第４シート部１４ｄが分離し難いため、脚回り開口形成部６０ａの幅広の状態が維持される。但し、第１の縦溶着領域６７、第２の縦溶着領域６８が無い形態でもよい。
【００７１】
また、本実施形態の横溶着領域６２は横方向に対して傾斜している。そのため、例えば横溶着領域６２が横方向に平行な場合に比べて、第１シート部１４ａ及び第２シート部１４ｂの非接合部の縦方向の長さが短く、第３シート部１４ｃ及び第４シート部１４ｄの非接合部の縦方向の長さが短い。そのため、第１シート部１４ａと第２シート部１４ｂが分離し難く、第３シート部１４ｃ及び第４シート部１４ｄが分離し難いため、脚回り開口形成部６０ａの幅広の状態が維持される。
【００７２】
また、脚回り延出部６０の横方向外側の部位６０ｃのうち重複部６０ｂでは、外装シート１４の第２シート部１４ｂとバックシート１３との間や、バックシート１３と外装シート１４の第３シート部１４ｃとの間が接着剤で接合されていなくてもよいとする。特にバックシート１３と第３シート部１４ｃとの間を接合しないことで、伸長状態で固定されない脚回り弾性部材６１の両端部を収縮させることができ、脚回り延出部６０の長手方向の両端部から脚回り弾性部材６１が露出してしまうことを防止できる。また、外装シート１４の第３シート部１４ｃ及び第４シート部１４ｄは、接着領域４０及び横溶着領域６２にて胴回り部２０，３０に接合されるが、外装シート１４の第１シート部１４ａ及び第２シート部１４ｂは、胴回り部２０，３０から離間するため、胴回り部２０，３０の横方向への収縮の影響を受け難くなる。そのため、脚回り開口形成部６０ａの幅広の状態が維持され易くなる。また、上記の部分が接合されていなくても重複部６０ｂに横溶着領域６２が配されているため、脚回り延出部６０の長手方向の両端部の口開きを抑制できる。
【００７３】
一方、脚回り延出部６０の横方向外側の部位６０ｃのうち脚回り開口形成部６０ａでは、外装シート１４の第２シート部１４ｂとバックシート１３との間、及び、バックシート１３と外装シート１４の第３シート部１４ｃとの間が接着剤で接合されているとよい。そうすることで、着用者の脚の挟み込みが作用した際に、外装シート１４の４層１４ａ〜１４ｄが分離してしまうことを防止でき、脚回り開口形成部６０ａの幅広の状態が維持される。
【００７４】
また、図６に示すように、脚回り延出部６０における脚回り開口形成部６０ａにおいて、横溶着領域６２は、脚回り延出部６０の横方向の外側端６０ｄよりも内側に配されている。つまり、脚回り開口形成部６０ａの横方向外側の端部には横溶着領域６２が存在せず、柔軟であるため、着用者の脚回りの肌当たりが良く、おむつ１の着け心地が向上する。また、着用者の脚の挟み込みの力が吸収される。そのため、脚回り開口形成部６０ａの幅広の状態が維持され易く、脚回り開口形成部６０ａが着用者の脚回りに面で密着でき、脚回りからの漏れが抑制される。
【００７５】
また、吸収性本体１０では、図３に示すように、トップシート１１が巻かれた吸収体１２と外装シート１４との間、及び、折り重ねられている外装シート１４の間に、バックシート１３が配されている。図２に示すように、バックシート１３の横方向の外側端１３ａも、脚回り延出部６０の横方向の外側端６０ｄよりも内側に配されている。そのため、脚回り開口形成部６０ａの横方向外側の端部にはバックシート１３が存在せずに、柔軟であるため、着用者の脚回りの肌当たりが良く、おむつ１の着け心地が向上する。また、着用者の脚の挟み込みの力が吸収されるため、脚回り開口形成部６０ａの幅広の状態が維持される。
【００７６】
また、脚回り開口形成部６０ａには、図２や図３に示すように、４本の脚回り弾性部材６１ａ〜６１ｄが横方向に並んで配されている。そのうちの真ん中の２本の脚回り弾性部材６１ｂ，６１ｃは、脚回り開口形成部６０ａに配された横溶着領域６２と交差している。横溶着領域６２が配された脚回り開口形成部６０ａの部位は剛性が高く、平面形状が維持され易い。そのため、脚回り弾性部材６１ｂ，６１ｃの収縮により、横溶着領域６２が配された脚回り開口形成部６０ａの部位は一体となって着用者側に持ち上げられる。したがって、図７に示すように、横溶着領域６２が配された脚回り開口形成部６０ａの部位は、着用者の脚回りに面で密着でき、脚回りからの漏れが抑制される。
【００７７】
また、４本の脚回り弾性部材６１ａ〜６１ｄのうち横方向の最も内側に位置する脚回り弾性部材６１ａは、横方向において吸収体１２と横溶着領域６２の間の位置に配されている。そのため、図７に示すように、脚回り弾性部材６１ａの収縮により、脚回り弾性部材６１ａよりも横方向外側の部位が着用者側に持ち上げられ、起立高さが確保される。そのため、脚回り開口形成部６０ａを着用者の脚回りに密着させることができる。
【００７８】
また、４本の脚回り弾性部材６１ａ〜６１ｄのうち横方向の最も外側に位置する脚回り弾性部材６１ｄは、脚回り開口形成部６０ａの横方向の外側端６０ｄの位置に配されている。そのため、脚回り弾性部材６１ｄの収縮により、脚回り開口形成部６０ａは横方向の外側端６０ｄの位置までしっかりと着用者に密着できる。特に、横溶着領域６２が脚回り開口形成部６０ａの横方向の外側端６０ｄまで達していない場合にも、脚回り開口形成部６０ａは横方向の外側端６０ｄの位置まで着用者に密着できる。
【００７９】
また、本実施形態のおむつ１では、吸収体１２の非肌側面側の位置から横方向の外側に延出し、且つ、横方向に連続する外装シート１４によって、脚回り延出部６０（脚回り開口形成部６０ａ）が形成されている。なお、吸収体１２の非肌側面側の位置とは、吸収体１２よりも厚さ方向の非肌側であり、横方向において吸収体１２と重複する位置である。
【００８０】
ここで仮に、外装シート１４が吸収体１２と同程度の横幅であり、外装シート１４から横方向の外側に延出し、且つ、外装シート１４とは別部材であるサイドシートによって脚回り開口形成部６０ａが形成されるとする。この場合、脚回り開口形成部６０ａ周辺の非肌側面に、外装シート１４とサイドシートの継ぎ目が露出してしまう。また、例えば、外装シート１４の横方向の両側部が折り重ねられることなく、外装シート１４の肌側面に、外装シート１４とは別部材であるサイドシートを貼り合わせることによって脚回り開口形成部６０ａが形成されるとする。この場合、脚回り開口形成部６０ａの横方向の外側端に、外装シート１４とサイドシートの継ぎ目が露出してしまう。そうすると、シートの継ぎ目から排泄物が滲み出てしまう。
【００８１】
そのため、本実施形態のおむつ１のように、外装シート１４によって脚回り開口形成部６０ａを形成することで、脚回り開口形成部６０ａ周辺の非肌側面にシートの継ぎ目が露出してしまうことを防止できる。また、本実施形態のおむつ１では、脚回り延出部６０に横溶着領域６２が配され、外装シート１４の側部が折り重ねられる。そのため、脚回り延出部６０の横方向の外側端６０ｄにシートの継ぎ目が露出しない。よって、シートの継ぎ目からの排泄物の滲み出しを防止でき、脚回りからの漏れをより一層抑制できる。
【００８２】
さらに、本実施形態のおむつ１では、外装シート１４によって防漏壁部５０も形成されている。この場合、防漏壁部５０と脚回り延出部６０との境界にもシートの継ぎ目が存在しないことになり、脚回りからの漏れをより一層抑制できる。例えば、防漏壁部５０で堰き止められた排泄物が防漏壁部５０と脚回り延出部６０との境界から滲み出し、着用者の脚が汚れてしまうこと等を抑制できる。
【００８３】
また、外装シート１４は、吸収体１２の非肌側面側の位置から横方向の両外側に延出している。つまり、共通の外装シート１４によって、一対の脚回り延出部６０及び一対の防漏壁部５０が形成されている。そのため、吸収性本体１０の非肌側面に外装シート１４の継ぎ目が露出しないので、シートの継ぎ目からの漏れが抑制される。また、おむつ１の着用時に一対の脚回り延出部６０が一体となって引き上げられる。そのため、一対の脚回り延出部６０がそれぞれバランスよく着用者の脚回りに密着でき、脚回りからの漏れが抑制される。
【００８４】
また、上記のように、外装シート１４によって脚回り延出部６０や防漏壁部５０を形成したり、一対の脚回り延出部６０や一対の防漏壁部５０を共通の外装シート１４によって形成したりすることで、資材数を削減できる。よって、低コスト化を図れる。ただし上記に限らず、脚回り延出部６０が外装シート１４とは異なるシート（例えば外装シート１４に継ぎ足されたサイドシート等）で形成されていてもよい。
【００８５】
＜変形例＞
図９Ａから図９Ｃは横溶着領域６２の変形例を説明する図である。図９Ａから図９Ｃの左側の図は、おむつ１の製造途中において第１の横溶着領域６３と第２の横溶着領域６４を外装シート１４に形成した状態の図であり、右側の図は、脚回り延出部６０における第１の横溶着領域６３と第２の横溶着領域６４の位置関係を示した図である。
【００８６】
上記の実施形態では、図４に示すように外装シート１４の折り位置ｆ２に対して第１の横溶着領域６３と第２の横溶着領域６４が対称に形成されている、つまり傾斜の方向が対称で、縦方向の位置が一致している。そのため、重複部６０ｂ及び脚回り開口形成部６０ａのそれぞれにおいて、第１の横溶着領域６３と第２の横溶着領域６４とが厚さ方向に重なるように配されている。ただし、これに限らず、厚さ方向における平面視において、第１の横溶着領域６３と第２の横溶着領域６４の一部又は全部が重複していなくてもよい。つまり、重複部６０ｂ及び脚回り開口形成部６０ａのそれぞれにおいて、第１の横溶着領域６３の平面上の位置（横方向及び縦方向の位置）と第２の横溶着領域６４の平面上の位置とがずれていてもよい。
【００８７】
例えば、図９Ａの左側に示すように、第１の横溶着領域６３と第２の横溶着領域６４を、折り位置ｆ２に対して傾斜方向を対称にし、縦方向の位置をずらして形成してもよい。この場合、図９Ａの右側に示すように、脚回り延出部６０の平面視において、同じ方向に傾斜した第１の横溶着領域６３及び第２の横溶着領域６４が縦方向に交互に並んで配される。
【００８８】
また、例えば、図９Ｂの左側に示すように、第１の横溶着領域６３と第２の横溶着領域６４を、折り位置ｆ２に対して傾斜方向を同じにし、縦方向の位置をずらして形成してもよい。この場合、図９Ｂの右側に示すように、脚回り延出部６０の平面視において、逆方向に傾斜した第１の横溶着領域６３及び第２の横溶着領域６４が縦方向に交互に並んで配される。
【００８９】
また、例えば、図９Ｃの左側に示すように、第１の横溶着領域６３と第２の横溶着領域６４を、折り位置ｆ２に対して傾斜方向を同じにし、縦方向の位置を同じにして形成してもよい。この場合、図９Ｃの右側に示すように、脚回り延出部６０の平面視において、逆方向に傾斜した第１の横溶着領域６３及び第２の横溶着領域６４が交差して配される。
【００９０】
図９Ａ及び図９Ｂに示すように、第１の横溶着領域６３と第２の横溶着領域６４とが完全にずれていてもよいし、図９Ｃに示すように、第１の横溶着領域６３と第２の横溶着領域６４の一部が重複し、残りの一部がずれていてもよい。このように厚さ方向における平面視において、第１の横溶着領域６３と第２の横溶着領域６４とがずれていることで、重複部６０ｂ及び脚回り開口形成部６０ａのより広い平面範囲に横溶着領域６２が存在することになり、重複部６０ｂ及び脚回り開口形成部６０ａの横方向に対する剛性が高まる。したがって、重複部６０ｂは胴回り部２０，３０の横方向への収縮の影響を受け難くなり、脚回り開口形成部６０ａの幅広の状態が維持され易くなり、脚回りからの漏れが抑制される。
【００９１】
なお、図９Ａ及び図９Ｂに示すように、第１の横溶着領域６３と第２の横溶着領域６４とが完全にずれている場合、溶着時に、例えばエンボスローラーの回転に伴って順次圧力がかけられながら横溶着領域６２が形成されるため、溶着が安定する。また、図示しないが、複数の第１の横溶着領域６３のうちの一部が第２の横溶着領域６４と重複し、残りの第１の横溶着領域６３が第２の横溶着領域６４と重複していない形態でもよい。また、第１の横溶着領域６３と第２の横溶着領域６４の平面形状や大きさが異なっていてもよいし、第１の横溶着領域６３同士や第２の横溶着領域６４同士の平面形状や大きさが異なっていてもよい。また、重複部６０ｂと脚回り開口形成部６０ａとで、第１の横溶着領域６３と第２の横溶着領域６４の配置が異なっていてもよい。また、第１の横溶着領域６３の数と第２の横溶着領域６４の数が異なっていてもよい。例えば、非肌側である第２の横溶着領域６４の数を、肌側である第１の横溶着領域６３の数よりも多くすることで、脚回り延出部６０の横方向の剛性を高めつつ、肌当たりを良くできる。
【００９２】
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのはいうまでもない。
【００９３】
例えば、外装シート１４が前胴回り部２０と後胴回り３０とを繋いで一体化されたおむつ（所謂２ピースタイプ）であってもよい。
【符号の説明】
【００９４】
１  おむつ（パンツ型吸収性物品）、１０  吸収性本体、１１  トップシート、
１２  吸収体、１２１  吸収性コア、１２２  コアラップシート、１３  バックシート、
１４  外装シート、２０  前胴回り部（胴回り部）、２１  シート、２１  シート、
２２  胴回り弾性部材（横方向に伸縮する弾性部材）、３０  後胴回り部（胴回り部）、
３１  シート、３１  シート、３２  胴回り弾性部材（横方向に伸縮する弾性部材）、
４０  接着領域、４１  非接合領域、４２〜４４  接合領域、
５０  防漏壁部、５１  弾性部材、５２  エンド接合部、５３  サイド接合部、
６０  脚回り延出部（延出部）、６０ａ  脚回り開口形成部、６０ｂ  重複部、
６１  脚回り弾性部材（縦方向に伸縮する弾性部材）、６２  横溶着領域（溶着領域）、
６３  第１の横溶着領域（第１の溶着領域）、６４  第２の横溶着領域（第２の溶着領域）、
６６  縦溶着領域、６７  第１の縦溶着領域、６８  第２の縦溶着領域、６９  溶着部、
ＬＨ  脚回り開口部、ＢＨ  胴回り開口部
【図１】
2018033528.tif 000003
【図２】
2018033528.tif 000004
【図３】
2018033528.tif 000005
【図４】
2018033528.tif 000006
【図５】
2018033528.tif 000007
【図６】
2018033528.tif 000008
【図７】
2018033528.tif 000009
【図８】
2018033528.tif 000010
【図９】
2018033528.tif 000011